(57)【要約】  【課題】  従来の携帯型端末装置では、利用者が予め決められたアイコンの中から任意のアイコンを選択・設定し、表示を変更させるが、利用者が複数のアイコンの候補の中から一を選択し、特定するという作業を行うことが必要となり、煩雑である。  【解決手段】  本発明は、かかる実情に鑑み、格納された複数のシナリオファイルのうちの一部をアイコンの選択などに応じて、シナリオファイル保持部に転送し、アクティブシナリオファイルとして実行するシナリオ型アイコンシステムを有する携帯型端末装置を提案するものである。シナリオファイルにアイコンの表示をどのように変更するかを記述しておくことで、複数のアイコンの表示変更であっても、利用者がアイコンの候補の中から一を選択し特定するという作業は不要となる。【選択図】            図５
2006139443.tif 000002
【特許請求の範囲】
【請求項１】
アイコンを表示するためのアイコン表示画面と、
アイコン及び、そのアイコンを表示するための規則を定める情報であるアイコン表示規則情報と、アイコンの選択に対するアクションを定める情報であるアクション規則情報とを含み、所定のルールで記述された実行可能なシナリオファイルであるアクティブシナリオファイルを保持するアクティブシナリオファイル保持部と、
前記アクティブシナリオファイル保持部に保持されたアクティブシナリオファイルを実行するシナリオファイル実行部と、
を有するシナリオ型アイコンシステムを有する携帯型端末装置。
【請求項２】
前記シナリオファイルを複数格納するシナリオファイル格納部と、
前記シナリオファイル格納部に格納されたシナリオファイルを前記アクティブシナリオファイル保持部に転送してアクティブシナリオファイルとするシナリオファイル活性部と、
を有する請求項１に記載のシナリオ型アイコンシステムを有する携帯型端末装置。
【請求項３】
シナリオファイルを作成するためのアプリケーションであるシナリオファイル作成アプリケーション実行部を有し、
前記シナリオアプリケーション実行部にて作成されたシナリオファイルは、前記シナリオファイル格納部に格納される請求項２に記載のシナリオ型アイコンシステムを有する携帯型端末装置。
【請求項４】
前記シナリオファイル作成アプリケーションは、プルダウンメニューにより前記アイコン表示規則情報を選択するアイコン表示規則情報選択手段と、プルダウンメニューにより前記アクション規則情報を選択するアクション規則情報選択手段と、を有する請求項３に記載のシナリオ型アイコンシステムを有する携帯型端末装置。
【請求項５】
前記シナリオファイルのアクション規則情報には、
アイコンの選択に応じて選択されたアイコンに代えて他のアイコンである選択後アイコンを表示するための情報である選択後アイコン情報を含み、
前記シナリオファイル実行部は、
前記選択後アイコン情報に基づいて選択後アイコンを生成するための選択後アイコン生成手段を有する請求項１から４のいずれか一に記載のシナリオ型アイコンシステムを有する携帯型端末装置。
【請求項６】
前記シナリオファイルのアクション規則情報には、
アイコンの選択に応じて選択されたアイコンの画像の全部又は一部を加工し、複数の異なる新アイコンを生成する処理をするための情報である選択時表示アイコン画像群生成情報を含み、
前記シナリオファイル実行部は、
前記選択時表示アイコン画像群生成情報に基づいて複数の異なる新アイコンである選択時表示アイコン画像群を生成するための選択時表示アイコン画像群生成手段を有する請求項１から５のいずれか一に記載のシナリオ型アイコンシステムを有する携帯型端末装置。
【請求項７】
前記シナリオファイルのアクション規則情報には、
選択されたアイコンが選択後アイコンへ段階的に遷移する様子を見せるための複数の新アイコンを表示するための情報である遷移時表示情報が含まれ、
シナリオファイル実行部は、
前記遷移時表示情報に基づいて複数の新アイコンを表示するための遷移時表示手段を有する請求項１から６のいずれか一に記載のシナリオ型アイコンシステムを有する携帯型端末装置。
【請求項８】
前記シナリオファイル格納部に格納された複数のシナリオファイルの中から一のシナリオファイルを特定するための情報であるシナリオファイル特定情報を取得するシナリオファイル特定情報取得部を有し、
前記シナリオファイル活性部は、前記シナリオファイル特定情報取得部で取得したシナリオファイル特定情報に基づいて特定されるシナリオファイルをアクティブシナリオファイルとしてアクティブシナリオファイル保持部に転送する請求項１から７のいずれか一に記載のシナリオ型アイコンシステムを有する携帯型端末装置。
【請求項９】
前記選択時表示アイコン画像群情報生成手段は、前記新アイコン画像の一表示ごとに順次生成し、表示終了後消去する選択時表示アイコン画像群生成・消去器を有する請求項６に記載のシナリオ型アイコンシステムを有する携帯型端末装置。
【請求項１０】
前記シナリオファイルのアクション規則情報には、
アイコンの選択に応じて選択されなかった非選択アイコンの画像の全部又は一部を加工し、複数の異なる新アイコンを生成する処理をするための情報である非選択時表示アイコン画像群生成情報を含み、
前記シナリオファイル実行部は、
前記非選択時表示アイコン画像群生成情報に基づいて複数の異なる新アイコンである非選択時表示アイコン画像群を生成するための非選択時表示アイコン画像群生成手段を有する請求項１から９のいずれか一に記載のシナリオ型アイコンシステムを有する携帯型端末装置。
【請求項１１】
前記シナリオファイルの全部又は一部は、アイコンの選択に応じて画面上のアイコンを表示していない部分である背景を構成する画像である背景画像の表示を変更する背景画像表示変更情報を、前記アクション規則情報に含む請求項１から１０のいずれか一に記載の携帯型端末装置。
【請求項１２】
前記シナリオファイル特定情報取得部は、シナリオファイル特定情報として、時間に関する情報である時間情報を取得する時間情報取得手段を有し、
前記シナリオファイル活性部は、前記時間情報取得手段で取得した時間情報に基づいて特定されるシナリオファイルをアクティブシナリオファイルとしてシナリオファイル保持部に転送する時間情報依存シナリオファイル活性手段を有する請求項８に記載のシナリオ型アイコンシステムを有する携帯型端末装置。
【請求項１３】
前記シナリオファイル特定情報取得部は、シナリオファイル特定情報として、場所に関する情報である場所情報を取得する場所情報取得手段を有し、
前記シナリオファイル活性部は、前記場所情報取得手段で取得した場所情報に基づいて特定されるシナリオファイルをアクティブシナリオファイルとしてシナリオファイル保持部に転送する場所情報依存シナリオファイル活性手段を有する請求項１２に記載のシナリオ型アイコンシステムを有する携帯型端末装置。
【請求項１４】
前記シナリオファイル特定情報取得部は、シナリオファイル特定情報として、動作履歴に関する情報である動作履歴情報を取得する動作履歴情報取得手段を有し、
前記シナリオファイル活性部は、前記動作履歴情報取得手段で取得した動作履歴情報に基づいて特定されるシナリオファイルをアクティブシナリオファイルとしてシナリオファイル保持部に転送する動作履歴情報依存シナリオファイル活性手段を有する請求項１２または１３のいずれかに記載のシナリオ型アイコンシステムを有する携帯型端末装置。
【請求項１５】
前記シナリオファイル特定情報取得部は、シナリオファイル特定情報として、選択動作履歴に関する情報である選択動作履歴情報を取得する選択動作履歴情報取得手段を有し、
前記シナリオファイル活性部は、前記選択動作履歴情報取得手段で取得した選択動作履歴情報に基づいて特定されるシナリオファイルをアクティブシナリオファイルとしてシナリオファイル保持部に転送する選択動作履歴情報依存シナリオファイル活性手段を有する請求項１２から１４のいずれか一に記載のシナリオ型アイコンシステムを有する携帯型端末装置。
【請求項１６】
シナリオファイルの一部を作成するためのアプリケーションである部分シナリオファイル作成アプリケーション実行部を有し、
前記部分シナリオアプリケーション実行部にて作成されたシナリオファイルの一部を含むシナリオファイルは、前記シナリオファイル格納部に格納される請求項２に記載のシナリオ型アイコンシステムを有する携帯型端末装置。
【請求項１７】
前記部分シナリオファイル作成アプリケーションは、プルダウンメニューにより前記アイコン表示規則情報を選択するアイコン表示規則情報選択手段と、プルダウンメニューにより前記アクション規則情報を選択するアクション規則情報選択手段と、を有する請求項３に記載のシナリオ型アイコンシステムを有する携帯型端末装置。
【請求項１８】
前記携帯型端末装置は、電話機能を有する請求項１から１７のいずれか一に記載のシナリオ型アイコンシステムを有する携帯型端末装置。
【請求項１９】
所定のルールで記述された実行可能なシナリオファイルであるアクティブシナリオファイルを保持するアクティブシナリオファイル保持部を有する携帯型端末装置において、
シナリオファイルをアクティブシナリオファイル保持部に転送するためのトリガが発生したか判断する転送トリガ判断ステップと、
前記転送トリガ判断ステップにて、転送トリガが発生したとの判断結果の場合には、シナリオファイルをアクティブシナリオファイル保持部に転送するシナリオファイル活性ステップと、
アイコンが選択されたかどうかを判断するアイコン選択判断ステップと、
前記アイコン選択判断ステップにて、アイコンが選択されたとの判断結果の場合には、アイコンの選択に応じて、アクティブシナリオファイルを実行するシナリオファイル実行ステップと、
からなるシナリオ型アイコンシステムによるアイコン表示方法。
【請求項２０】
アイコンが選択されたかどうかを判断するアイコン選択判断ステップと、
前記アイコン選択判断ステップにて、アイコンが選択されたとの判断結果の場合には、アイコンの選択に応じて、選択されたアイコンに代えて他のアイコンである選択後アイコンを表示するための選択後表示アイコン情報を含むアクティブシナリオファイルを実行するシナリオファイル実行ステップと、
からなるシナリオ型アイコンシステムによるアイコン表示方法。
【請求項２１】
アイコンが選択されたかどうかを判断するアイコン選択判断ステップと、
前記アイコン選択判断ステップにて、アイコンが選択されたとの判断結果の場合には、アイコンの選択に応じて、選択されたアイコンの画像の全部又は一部を加工し、複数の異なる新アイコンを生成する処理をするための情報である選択時表示アイコン画像群生成情報を含むアクティブシナリオファイルを実行するシナリオファイル実行ステップと、
からなるシナリオ型アイコンシステムによるアイコン表示方法。
【請求項２２】
アイコンが選択されたかどうかを判断するアイコン選択判断ステップと、
前記アイコン選択判断ステップにて、アイコンが選択されたとの判断結果の場合には、アイコンの選択に応じて、選択されたアイコンが選択後アイコンへ段階的に遷移する様子を見せるための複数の新アイコンを表示するための情報である遷移時表示情報に基づいて複数の新アイコンを表示するための処理を行う遷移時表示ステップと、
からなるシナリオ型アイコンシステムによるアイコン表示方法。
【請求項２３】
所定のルールで記述された実行可能なシナリオファイルであるアクティブシナリオファイルを保持するアクティブシナリオファイル保持部を有する携帯型端末装置において、
格納された複数のシナリオファイルの中から一のシナリオファイルを特定するための情報であるシナリオファイル特定情報を取得するシナリオファイル特定情報取得ステップと、
シナリオファイルをアクティブシナリオファイル保持部に転送するためのトリガが発生したか判断する転送トリガ判断ステップと、
前記転送トリガ判断ステップにて、転送トリガが発生したとの判断結果の場合には、前記シナリオファイル特定情報取得ステップにて取得したシナリオファイル特定情報に基づいて特定されるシナリオファイルをアクティブシナリオファイルとしてアクティブシナリオファイル保持部に転送するシナリオファイル活性ステップと、
アイコンが選択されたかどうかを判断するアイコン選択判断ステップと、
前記アイコン選択判断ステップにて、アイコンが選択されたとの判断結果の場合には、アイコンの選択に応じて、アクティブシナリオファイルを実行するシナリオファイル実行ステップと、
からなるシナリオ型アイコンシステムによるアイコン表示方法。
【発明の詳細な説明】
【技術分野】
【０００１】
本発明は、シナリオ型アイコンシステムを有する携帯型端末装置に関するものである。
【背景技術】
【０００２】
従来の携帯型端末装置では、利用者が予め決められたアイコンの中から任意のアイコンを選択・設定し、表示を変更させることは行われている（特許文献１参照。）。
【特許文献１】特開平０５−１５０９３３号公報
【発明の開示】
【発明が解決しようとする課題】
【０００３】
しかしながら、上記手法においては、利用者が複数のアイコンの候補の中から一を選択し、特定するという作業を行うことが必要となる。
【課題を解決するための手段】
【０００４】
本発明は、かかる実情に鑑み、格納された複数のシナリオファイルのうちの一部をアイコンの選択などに応じて、シナリオファイル保持部に転送し、アクティブシナリオファイルとして実行するシナリオ型アイコンシステムを有する携帯型端末装置を提案するものである。アイコンの変更などを記述したシナリオファイルのうち、アクティブシナリオファイルについては、実行によってファイルに記述されたアイコンの表示が携帯型端末装置の画面表示に反映される。シナリオファイルにアイコンの表示をどのように変更するかを記述しておくことで、複数のアイコンの表示変更であっても、利用者がアイコンの候補の中から一を選択し特定するという作業は不要となる。このとき、シナリオファイルの作成は、アプリケーションの実行によって行う。利用者がシナリオファイルを作成することができることで、アイコンの変更などが容易に行える。
【０００５】
また、アイコンの選択に応じて選択されたアイコンに代えて他のアイコンである選択後アイコンを表示する態様や、選択されたアイコンの画像の全部又は一部を加工し、複数の異なる新アイコンである選択時表示アイコン画像群を表示する態様や、選択されたアイコンが選択後アイコンへ段階的に遷移する様子を見せるための複数の新アイコンを表示する態様などを提案する。なお、これらの新アイコン画像は一表示ごとに順次生成し、表示終了後消去する。加えて、アイコンの選択に応じて選択されなかった非選択アイコンの画像の全部又は一部を加工し、複数の異なる新アイコンを生成する態様や、画面上のアイコンを表示していない部分である背景を構成する画像である背景画像の表示を変更する態様などを提案する。
【０００６】
さらに、複数のシナリオファイルの中から一のシナリオファイルを特定するための情報であるシナリオファイル特定情報に基づいて特定されるシナリオファイルをアクティブシナリオファイルとして実行する。このとき、シナリオファイル特定情報として、時間情報、場所情報、動作履歴情報、選択動作履歴情報に基づいてシナリオファイルを特定する。
【発明の効果】
【０００７】
以上、説明したように本件発明のいずれか一又は二以上の発明に係るナリオ型アイコンシステムを有する携帯型端末装置においては、シナリオファイルにアイコンの表示をどのように変更するかを記述しておけば、複数のアイコンの表示変更であっても、利用者がアイコンの候補の中から一を選択し特定するという作業を行うことなく、容易かつ即座に変更できる。シナリオファイルの作成をアプリケーションの実行によって行う場合には、利用者がシナリオファイルを自由に作成できるため、アイコンの変更などが容易に行える。
【０００８】
また、アイコンの選択に応じて選択されたアイコンに代えて他のアイコンである選択後アイコンを表示する態様では、アイコンの表示を変更する場合や、選択されているアイコンを目立たせる場合の処理を容易に行うことができる。選択されたアイコンの画像の全部又は一部を加工し、複数の異なる新アイコンである選択時表示アイコン画像群を表示する態様や、選択されたアイコンが選択後アイコンへ段階的に遷移する様子を見せるための複数の新アイコンを表示する態様では、携帯型端末装置の小さな表示画面においても、どのアイコンが選択されたのかが判別しやすい。なお、これらの新アイコン画像は一表示ごとに順次生成し、表示終了後消去することで、携帯型端末装置の少ないメモリを消費することなく動画の表示を実現でき効率的である。加えて、アイコンの選択に応じて選択されなかった非選択アイコンの画像の全部又は一部を加工し、複数の異なる新アイコンを生成する態様や、画面上のアイコンを表示していない部分である背景を構成する画像である背景画像の表示を変更する態様では、選択されたアイコンだけでなく、選択されていないアイコンや、背景画像に対しても画像の加工が可能となることで、アイコン選択に伴う動画表示のバリエーションを高め、選択されたアイコンをより強調することができる。
【０００９】
さらに、シナリオファイル特定情報に基づいて特定されるシナリオファイルをアクティブシナリオファイルとして実行する場合には、シナリオファイル特定情報によって特定すべきシナリオを指定できるため、複数のシナリオの候補を準備しておいて、状況に応じて的確にシナリオファイルを切り替えて使用することが可能となる。したがって、携帯型端末装置の表示画面上に表示される一連のアイコンを例えば仕事用から、プライベート用へと切り替えることを容易に実行できることになる。このとき、シナリオファイル特定情報として、時間情報、場所情報、動作履歴情報、選択動作履歴情報に基づいてシナリオファイルを特定する場合には、利用者が特段の作業をすることなく、利用者の生活習慣に合わせてアイコンが自動的に切り替わり便利である。
【発明を実施するための最良の形態】
【００１０】
以下に、各発明を実施するための最良の形態を説明する。なお、本発明はこれら実施の形態に何ら限定されるものではなく、その要旨を逸脱しない範囲において、種々なる態様で実施しうる。
【００１１】
実施形態１は、主に請求項１などについて説明する。  実施形態２は、主に請求項２、１９などについて説明する。  実施形態３は、主に請求項３、４などについて説明する。  実施形態４は、主に請求項５、２０などについて説明する。  実施形態５は、主に請求項６、２１などについて説明する。  実施形態６は、主に請求項７、２２などについて説明する。  実施形態７は、主に請求項８、２３などについて説明する。  実施形態８は、主に請求項９などについて説明する。  実施形態９は、主に請求項１０などについて説明する。  実施形態１０は、主に請求項１１などについて説明する。  実施形態１１は、主に請求項１２などについて説明する。  実施形態１２は、主に請求項１３などについて説明する。  実施形態１３は、主に請求項１４などについて説明する。  実施形態１４は、主に請求項１５などについて説明する。  実施形態１５は、主に請求項１６、１７などについて説明する。  実施形態１６は、主に請求項１８などについて説明する。
【００１２】
<<実施形態１>>
【００１３】
<実施形態１：概要>  実施形態１について説明する。本実施形態は、アイコン表示画面に表示されたアイコンの選択に応じて、所定のルールで記述されたアクティブシナリオファイルを実行するシナリオ型アイコンシステムを有する携帯型端末装置である。
【００１４】
図１は、本実施形態の概念の一例を示すものである。図で示したように本実施形態の携帯型端末装置は、アイコンを表示するためのアイコン表示画面を有しており、アクティブシナリオファイルを保持する。アクティブシナリオファイルは、アイコン及び、そのアイコンを表示するための規則を定める情報であるアイコン表示規則情報と、アイコンの選択に対するアクションを定める情報であるアクション規則情報とを含み、所定のルールで記述された実行可能なシナリオファイルである。図では、左上に音符のアイコンを表示するためのアイコン表示規則情報と、音符のアイコンの選択に対して音楽再生のアクションが行われることを示すアクション規則情報などを含むアクティブシナリオファイルを示した。携帯型端末装置は、アイコン表示画面に表示されたアイコンの選択に応じて（１）、保持されたアクティブシナリオファイルを実行する（２）。ここでは、音符のアイコンを選択することで、所定の音楽の再生がなされる一例を示した。
【００１５】
<実施形態１：構成>  本実施形態での機能ブロックの一例を図２に示した。  図２に示す本実施形態の「携帯型端末装置」（０２００）は、「アクティブシナリオファイル保持部」（０２０１）と、「シナリオファイル実行部」（０２０２）と、からなる。
【００１６】
本件発明の構成要素である各部は、ハードウエア、ソフトウエア、ハードウエアとソフトウエアの両者、のいずれかによって構成される。たとえば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。  具体的には、メモリ上に展開されたプログラムを順次実行することで、メモリ上のデータや、インターフェイスを介して入力されるデータの加工、蓄積、出力などにより各部の機能が実現される。（本明細書の全体を通じて同様である。）
【００１７】
「携帯型端末装置」（０２００）は、アイコンを表示するためのアイコン表示画面を有し、シナリオ型アイコンシステムを搭載する。具体的には、携帯電話、ＰＤＡ、ＰＨＳなどが該当する。
【００１８】
「アクティブシナリオファイル保持部」（０２０１）は、アクティブシナリオファイルを保持する。「アクティブシナリオファイル」は、アイコン表示規則情報と、アクション規則情報とを含み、所定のルールで記述された実行可能なシナリオファイルである。ここで、「アイコン表示規則情報」は、アイコン及び、そのアイコンを表示するための規則を定める情報である。アイコンを表示するための規則は、具体的には表示画面上のどの位置に、どのアイコンを表示するかなどの情報が該当する。その他、アイコンの階層構造を定めるルール、アイコンの大きさを定める情報、アイコンのグラフィックを特定する情報、アイコン表示画面の大きさ、アイコン表示画面の背景を定める情報、アイコンの選択とテンキーなどのボタンとの対応を示す情報、アイコンが表示されている状態でアイコンが動く場合、音を発する場合、バイブレーションが作動する場合にこれらの動作を特定する情報、携帯型端末装置の外部情報に基づいてアイコンを変化させるためのルールを示す情報（時間帯、場所、その日の天候などに関する情報、株式市場などの経済情報、野球チームの勝敗などのスポーツ情報など）などが該当する。  また、「アクション規則情報」は、アイコンの選択に対するアクションを定める情報である。例えば、音符のアイコンの選択時には音楽再生処理が実行される等の情報が該当する。その他、他のアイコン表示画面への遷移ルール、各種アプリケーションプログラムの実行、携帯型端末装置のハードウエアの制御、携帯型端末装置のオペレーティングシステムの制御などが該当する。また、アイコン表示規則情報と、アクション規則情報のいずれも、ルールなどの情報そのものであってもよいし、その情報を識別するための情報であってもよい。
【００１９】
「シナリオファイル実行部」（０２０２）は、前記アクティブシナリオファイル保持部（０２０１）に保持されたアクティブシナリオファイルを実行する。音符のアイコンが選択された場合には、音楽再生処理が実行されることになる。
【００２０】
<実施形態１：処理の流れ>  図３は、実施形態１での処理の流れの一例を示したものである。まず、アクティブシナリオファイルを実行し、これに従ってアイコンが表示される（アイコン表示ステップ  Ｓ０３０１）。次に、アイコンが選択されたかどうかを判断する（アイコン選択判断ステップ  Ｓ０３０２）。前記アイコン選択判断ステップ（Ｓ０３０２）にて、アイコンが選択されたとの判断結果の場合には、アクティブシナリオファイルに基づいて、アイコンの選択に対するアクションを定める情報であるアクション規則情報を特定する（アクション規則情報特定ステップ  Ｓ０３０３）。最後に、アクション規則情報特定ステップ（Ｓ０３０３）にて特定されるアクション規則情報に基づいてアクションを実行する（アクション実行ステップ  Ｓ０３０４）。なお、アイコン選択判断ステップ（Ｓ０３０２）にて、アイコンは選択されていないとの判断結果の場合には処理を終了する。  以上の処理は、計算機に実行させるためのプログラムで実行することができ、また、このプログラムを計算機によって読取り可能な記録媒体に記録することができる。（本明細書の全体を通して同様である。）
【００２１】
<実施形態１：効果>  本実施形態は、アイコン表示画面に表示されたアイコンの選択に応じて、所定のルールで記述されたアクティブシナリオファイルを実行するシナリオ型アイコンシステムを有する携帯型端末装置である。アイコンの表示と、アイコン選択時のアクションを定める情報がアクティブシナリオファイルとして記述されていることで、アイコンの表示や、選択されたアイコンに対応して実行すべき処理を、アクティブシナリオファイルへの所定のルールに従った記述によって容易に構築し、変更し、管理することが可能となる。
【００２２】
<<実施形態２>>
【００２３】
<実施形態２：概要>  実施形態２について説明する。本実施形態は、格納された複数のシナリオファイルのうちの一部をシナリオファイル保持部に転送してアクティブシナリオファイルとすることに特徴を有するシナリオ型アイコンシステムを有する携帯型端末装置である。
【００２４】
図４は、本実施形態の概念の一例を示すものである。図上段で示したのは、もとのアクティブシナリオファイルに基づいてアイコンを表示する携帯型端末装置である。携帯型端末装置の表示画面左上のアイコンは音符のマークで表されている。ここで、格納された複数のシナリオファイルのうち、あるシナリオファイルがアクティブシナリオファイル保持部に転送されたとする。転送されるトリガとなる事象は、アイコンの選択や、ボタン押下等利用者の操作であってもよいし、所定時間経過等の携帯型端末装置の環境に基づくものでもよい。転送されるシナリオファイルは携帯型端末装置の表示画面左上のアイコン表示がト音記号のマークで表示することが記述されている場合、転送されたシナリオファイルがアクティブシナリオファイルとなることによって、携帯型端末装置の表示画面左上のアイコン表示が、音符のマークからト音記号のマークへと変更される。
【００２５】
<実施形態２：構成>  本実施形態での機能ブロックの一例を図５に示した。  図５に示す本実施形態の「携帯型端末装置」（０５００）は、「アクティブシナリオファイル保持部」（０５０１）と、「シナリオファイル実行部」（０５０２）と、さらに、「シナリオファイル格納部」（０５０３）と、「シナリオファイル活性部」（０５０４）と、からなる。
【００２６】
「シナリオファイル格納部」（０５０３）は、シナリオファイルを複数格納する。シナリオファイルは、構成はアクティブシナリオファイルと同じで、アイコン表示規則情報と、アクション規則情報とを含むファイルであるが、ファイルに記述されたアイコンの表示は携帯型端末装置の画面表示には反映されない。ファイルに記述されたアイコンの表示を携帯型端末装置の画面表示には反映させるためには、シナリオファイルを、後述するシナリオファイル活性部（０５０４）にて、前記アクティブシナリオファイル保持部（０５０１）に転送してアクティブシナリオファイルとすることが必要となる。
【００２７】
「シナリオファイル活性部」（０５０４）は、前記シナリオファイル格納部（０５０３）に格納されたシナリオファイルを前記アクティブシナリオファイル保持部（０５０１）に転送してアクティブシナリオファイルとする。シナリオファイルがアクティブシナリオファイルとなることで、ファイルに記述されたアイコンの表示が携帯型端末装置の画面表示に反映され、図４で示したように音符のマークのアイコンがト音記号のマークへと変更される。なお、転送されるトリガとなる事象は、アイコンの選択や、ボタン押下等利用者の操作であってもよいし、所定時間経過等の携帯型端末装置の環境に基づくものでもよい。  また、アクティブシナリオファイルとして保持されていた元のシナリオファイルは、新たなシナリオファイルがアクティブとなることで上書きされる場合や、シナリオファイル格納部へ転送される場合がある。その他、古いアクティブシナリオファイルと、新しいアクティブシナリオファイルとがマージされて一体のアクティブシナリオファイルとして携帯型端末装置に認識される場合や、古いアクティブシナリオファイルの一部が新しいアクティブシナリオファイルへと置き換えられる場合などが想定される。  その他各部の処理については、実施形態１と同様である。
【００２８】
<実施形態２：処理の流れ>  図６は、実施形態２での処理の流れの一例を示したものである。前提として、アクティブシナリオファイルの実行に従ってアイコンが表示されている状態であるとする。まず、シナリオファイルをアクティブシナリオファイル保持部に転送するためのトリガが発生したか判断する（転送トリガ判断ステップ  Ｓ０６０１）。前記転送トリガ判断ステップ（Ｓ０６０１）にて、転送トリガが発生したとの判断結果の場合には、転送すべきシナリオファイルを特定する（シナリオファイル特定ステップ  Ｓ０６０２）。続いて、特定されたシナリオファイルをアクティブシナリオファイル保持部に転送する（シナリオファイル活性ステップ  Ｓ０６０３）。他方、転送トリガ判断ステップ（Ｓ０６０１）にて、転送トリガが発生していないとの判断結果の場合には、処理を終了する。  その後、実施形態１と同様に、アクティブシナリオファイルに基づいて、アイコンの選択に対するアクションを定める情報であるアクション規則情報を特定し、特定されるアクション規則情報に基づいてアクションを実行する。
【００２９】
<実施形態２：効果>  本実施形態は、格納された複数のシナリオファイルのうち一部をシナリオファイル保持部に転送してアクティブシナリオファイルとすることに特徴を有するシナリオ型アイコンシステムを有する携帯型端末装置である。シナリオファイルがアクティブシナリオファイルとなることで、アクティブシナリオファイルに記述されたアイコンの表示が携帯型端末装置のアイコン表示画面に反映され、アイコン表示を実行するシナリオファイルを簡単に変更することが可能となる。
【００３０】
<<実施形態３>>
【００３１】
<実施形態３：概要>  実施形態３について説明する。本実施形態は、アプリケーションの実行によってシナリオファイルを作成することに特徴を有するシナリオ型アイコンシステムを有する携帯型端末装置である。
【００３２】
<実施形態３：構成>  本実施形態での機能ブロックの一例を図７に示した。  図７に示す本実施形態の「携帯型端末装置」（０７００）は、「アクティブシナリオファイル保持部」（０７０１）と、「シナリオファイル実行部」（０７０２）と、「シナリオファイル格納部」（０７０３）と、「シナリオファイル活性部」（０７０４）と、さらに、「シナリオファイル作成アプリケーション実行部」（０７０５）と、からなる。また、シナリオファイル作成アプリケーション実行部（０７０５）は、「アイコン表示規則情報選択手段」（０７０６）と、「アクション規則情報選択手段」（０７０７）と、を有する場合がある。
【００３３】
「シナリオファイル作成アプリケーション実行部」（０７０５）は、シナリオファイルアプリケーションの実行を行う。「シナリオファイルアプリケーション」は、シナリオファイルを作成するためのアプリケーションである。シナリオファイルは、ＸＭＬや、ＳＭＩＬなどの汎用的な言語を用いて記述するものであってもよいし、独自のアイコンシナリオ言語を用いた独自のフォーマットに基づいて記述してもよい。図８（ａ）にシナリオファイルを作成する場面の一例を示した。携帯型端末装置のボタンを操作する等して、アイコン表示のための情報を入力し、シナリオファイルを作成することができる。
【００３４】
また、「アイコン表示規則情報選択手段」（０７０６）は、前記シナリオファイル作成アプリケーションを実行することで表示されるプルダウンメニューにより前記アイコン表示規則情報を選択する。プルダウンメニューに示された複数の選択肢の中から、利用者がアイコン表示規則情報を自由に選択することができる。  「アクション規則情報選択手段」（０７０７）は、前記シナリオファイル作成アプリケーションを実行することで表示されるプルダウンメニューにより前記アクション規則情報を選択する。プルダウンメニューに示された複数の選択肢の中から、利用者がアクション規則情報を自由に選択することができる。図８（ｂ）にプルダウンメニューに基づいてシナリオファイルを作成する場面の一例を示した。利用者は、プルダウンメニューに従い順次選択を行うことで、シナリオファイルが作成できる。
【００３５】
「シナリオファイル格納部」（０７０３）は、前記シナリオアプリケーション実行部（０７０５）にて作成されたシナリオファイルを格納する。作成したシナリオファイルは、一旦シナリオファイル格納部に格納され、必要な場合にはシナリオファイル活性部にてアクティブシナリオファイル保持部へ転送され、アクティブシナリオファイルとなる。  その他各部の処理については実施形態２と同様である。
【００３６】
<実施形態３：処理の流れ>  図９は、実施形態３でのシナリオファイルを作成する処理の流れの一例を示したものである。最初に、シナリオファイルアプリケーションの実行を行う（シナリオファイル作成アプリケーション実行ステップ  Ｓ０９０１）。前記シナリオアプリケーション実行ステップ（Ｓ０９０１）にて作成されたシナリオファイルをシナリオファイル格納部へ格納する（シナリオファイル格納ステップ  Ｓ０９０２）。次に、シナリオファイルをアクティブシナリオファイル保持部に転送するためのトリガが発生したか判断し（転送トリガ判断ステップ  Ｓ０９０３）、転送トリガが発生したとの判断結果の場合には、転送すべきシナリオファイルを特定する（シナリオファイル特定ステップ  Ｓ０９０４）。続いて、特定されたシナリオファイルをアクティブシナリオファイル保持部に転送する（シナリオファイル活性ステップ  Ｓ０９０５）。他方、転送トリガ判断ステップ（Ｓ０９０３）にて、転送トリガが発生していないとの判断結果の場合には、次のステップを行う。  その後、実施形態１と同様に、アクティブシナリオファイルに基づいて、アイコンの選択に対するアクションを定める情報であるアクション規則情報を特定し、特定されるアクション規則情報に基づいてアクションを実行する。
【００３７】
<実施形態３：効果>  本実施形態は、アプリケーションの実行によってシナリオファイルを作成することに特徴を有するシナリオ型アイコンシステムを有する携帯型端末装置である。利用者がシナリオファイルを作成することができることで、アイコンの変更などが容易に行える。特に複数のアイコンの表示を変更する際に便利である。また、プルダウンメニューに基づいて選択することでシナリオファイルを作成することができる場合には、シナリオファイルをより簡単に作成することが可能となる。
【００３８】
<<実施形態４>>
【００３９】
<実施形態４：概要>  実施形態４について説明する。本実施形態は、アイコンの選択に応じて選択されたアイコンに代えて他のアイコンである選択後アイコンを表示するための選択後アイコン情報に基づいて選択後アイコンを生成することに特徴を有するシナリオ型アイコンシステムを有する携帯型端末装置である。
【００４０】
<実施形態４：構成>  本実施形態での機能ブロックの一例を図１０に示す。  図１０に示す本実施形態の「携帯型端末装置」（１０００）は、「アクティブシナリオファイル保持部」（１００１）と、「シナリオファイル実行部」（１００２）と、「シナリオファイル格納部」（１００３）と、「シナリオファイル活性部」（１００４）と、からなり、さらに、シナリオファイル実行部（１００２）は「選択後アイコン生成手段」（１００５）を有する。図１０は実施形態２を基本とした機能ブロックであり、上述の構成要件は他の実施形態を基本とした場合には必須構成要件ではないことがある。
【００４１】
「アクティブシナリオファイル保持部」（１００１）は、アクティブシナリオファイルを保持する。「シナリオファイル格納部」（１００３）は、シナリオファイルを格納する。ここで、これらのシナリオファイルに含まれるアクション規則情報には、アイコンの選択に応じて選択されたアイコンに代えて他のアイコンである選択後アイコンを表示するための選択後アイコン情報が含まれる。つまり、アイコンが選択されることによって、選択前のアイコンから選択後のアイコンへと表示が変化することになる。
【００４２】
「選択後アイコン生成手段」（１００５）は、前記選択後アイコン情報に基づいて選択後アイコンを生成するための処理を行う。例えば、音符のマークのアイコンに対応するアクティブシナリオファイルのアクション規則情報に、ト音記号のマークのアイコンを表示するための選択後アイコン情報が含まれている場合には、ト音記号のマークのアイコンを生成するための処理を行い、音符のマークのアイコンを選択した場合に、ト音記号のマークのアイコンへと表示が変化する。このようなアイコンの選択は、アイコンの表示を変更するために行うほか、選択されているアイコンを目立たせるために行うことなどが想定される。また、選択後に表示すべきアイコンの表示規則については、アクティブシナリオファイルに含まれるアイコン表示規則情報に基づいて表示されるとしてもよい。  その他各部の処理については、実施形態１から３と同様である。
【００４３】
<実施形態４：処理の流れ>  図１１は、実施形態４での処理の流れの一例を示したものである。前提として、アクティブシナリオファイルの実行に従ってアイコンが表示されている状態であるとする。まず、アイコンが選択されたかどうかを判断する（アイコン選択判断ステップ  Ｓ１１０１）。前記アイコン選択判断ステップ（Ｓ１１０１）にて、アイコンが選択されたとの判断結果の場合には、さらに、アクティブシナリオファイルのアクション規則情報に、アイコンの選択に応じて選択されたアイコンに代えて他のアイコンである選択後アイコンを表示するための選択後表示アイコン情報が含まれているか判断する（選択後表示アイコン情報存在判断ステップ  Ｓ１１０２）。前記選択後表示アイコン情報存在判断ステップ（Ｓ１１０２）にて、選択後表示アイコン情報が含まれているとの判断結果の場合には、選択後表示アイコン情報に基づいて選択後アイコンを生成し、表示する（選択後アイコン生成・表示ステップ  Ｓ１１０３）。選択後表示アイコン情報が含まれていないとの判断結果の場合には、選択後アイコン生成・表示ステップ（Ｓ１１０３）を実行せず、次のステップを実行する。アクティブシナリオファイルに基づいて、アイコンの選択に対するアクションを定める情報であるアクション規則情報を特定し、アクションを実行する（アクション実行ステップ  Ｓ１１０４）。なお、アイコン選択判断ステップ（Ｓ１１０１）にて、アイコンが選択されていないとの判断結果の場合には、処理を終了する。
【００４４】
<実施形態４：効果>  本実施形態は、アイコンの選択に応じて選択されたアイコンに代えて他のアイコンである選択後アイコンを表示するための選択後アイコン情報に基づいて選択後アイコンを生成することに特徴を有するシナリオ型アイコンシステムを有する携帯型端末装置である。アイコンが選択されることによって、選択前のアイコンから選択後のアイコンへと表示が変化する。アイコンの表示を変更する場合や、選択されているアイコンを目立たせる場合の処理を容易に行うことができる。
【００４５】
<<実施形態５>>
【００４６】
<実施形態５：概要>  実施形態５について説明する。本実施形態は、アイコンの選択に応じて選択されたアイコンの画像の全部又は一部を加工し、複数の異なる新アイコンを生成する処理をするための選択時表示アイコン画像群生成情報に基づいて複数の異なる新アイコンである選択時表示アイコン画像群を生成することに特徴を有するシナリオ型アイコンシステムを有する携帯型端末装置である。
【００４７】
<実施形態５：構成>  本実施形態での機能ブロックの一例を図１２に示す。  図１２に示す本実施形態の「携帯型端末装置」（１２００）は、「アクティブシナリオファイル保持部」（１２０１）と、「シナリオファイル実行部」（１２０２）と、「シナリオファイル格納部」（１２０３）と、「シナリオファイル活性部」（１２０４）と、からなる。さらに、シナリオファイル実行部（１２０２）は、「選択時表示アイコン画像群生成手段」（１２０５）を有する。図１２は実施形態２を基本とした機能ブロックであり、上述の構成要件は他の実施形態を基本とした場合には必須構成要件ではないことがある。
【００４８】
「アクティブシナリオファイル保持部」（１２０１）は、アクティブシナリオファイルを保持する。「シナリオファイル格納部」（１２０３）は、シナリオファイルを格納する。ここで、これらのシナリオファイルに含まれるアクション規則情報には、アイコンの選択に応じて選択されたアイコンの画像の全部又は一部を加工し、複数の異なる新アイコンを生成する処理をするための情報である選択時表示アイコン画像群生成情報が含まれる。つまり、アイコンが選択されることによって、選択前のアイコンの画像の全部又は一部を加工し、複数の異なる選択時表示アイコン画像群が生成され、それらが連続表示されることで、アイコンの表示が動的に変化することになる。
【００４９】
「選択時表示アイコン画像群生成手段」（１２０５）は、前記選択時表示アイコン画像群生成情報に基づいて複数の異なる新アイコンである選択時表示アイコン画像群を生成する。例えば、音符のマークのアイコンに対応するアクティブシナリオファイルのアクション規則情報に、星のマークが煌く様を表示するための選択時表示アイコン画像群情報が含まれている場合には、音符のマークのアイコンに重畳的に星のマークを付加する加工を行った複数の異なる選択時表示アイコン画像群を生成するための処理を行う。したがって、音符のマークのアイコンを選択した場合に、音符のマークのアイコンに星のマークが飛散し、アイコンが煌くような表示へと変化する。このようなアイコンの選択は、選択されているアイコンを目立たせるために行うことなどが想定される。また、選択後に表示すべきアイコンの表示規則については、アクティブシナリオファイルに含まれるアイコン表示規則情報に基づいて表示されるとしてもよい。
【００５０】
また、画像の加工は、アイコンの画像の全部を加工する場合だけでなく、一部のみを加工する場合もある。部分的に加工を行う場合とは、アイコンの一部に対する色や輝度の変更などをいう。アイコンが煌く表示や、波紋が広がる表示を実現することができる。  その他各部の処理については、実施形態１から４と同様である。
【００５１】
<実施形態５：処理の流れ>  図１３は、実施形態５での処理の流れの一例を示したものである。前提として、アクティブシナリオファイルの実行に従ってアイコンが表示されている状態であるとする。まず、アイコンが選択されたかどうかを判断する（アイコン選択判断ステップ  Ｓ１３０１）。前記アイコン選択判断ステップ（Ｓ１３０１）にて、アイコンが選択されたとの判断結果の場合には、さらに、アクティブシナリオファイルのアクション規則情報に、アイコンの選択に応じて選択されたアイコンの画像の全部又は一部を加工し、複数の異なる新アイコンを生成する処理をするための情報である選択時表示アイコン画像群生成情報が含まれているか判断する（選択時表示アイコン画像群生成情報存在判断ステップ  Ｓ１３０２）。前記選択時表示アイコン画像群生成情報存在判断ステップ（Ｓ１３０２）にて、選択時表示アイコン画像群生成情報が含まれているとの判断結果の場合には、選択時表示アイコン画像群生成情報に基づいて選択時表示アイコン画像群を生成し、表示する（選択時表示アイコン画像群生成・表示ステップ  Ｓ１３０３）。このとき、選択時表示アイコン画像群生成・表示ステップ（Ｓ１３０３）は、連続表示が終了するまで繰り返されるとしてもよい。選択時表示アイコン画像群生成情報が含まれていないとの判断結果の場合には、選択時表示アイコン画像群生成・表示ステップ（Ｓ１３０３）を実行せず、次のステップを実行する。アクティブシナリオファイルに基づいて、アイコンの選択に対するアクションを定める情報であるアクション規則情報を特定し、アクションを実行する（アクション実行ステップ  Ｓ１３０４）。なお、アイコン選択判断ステップ（Ｓ１３０１）にて、アイコンが選択されていないとの判断結果の場合には、処理を終了する。
【００５２】
<実施形態５：効果>  本実施形態は、アイコンの選択に応じて選択されたアイコンの画像の全部又は一部を加工し、複数の異なる新アイコンを生成する処理をするための選択時表示アイコン画像群生成情報に基づいて複数の異なる新アイコンである選択時表示アイコン画像群を生成することに特徴を有するシナリオ型アイコンシステムを有する携帯型端末装置である。アイコンが選択され、次のアクションによる画面繊維までの間、連続的に選択時表示アイコン画像群の表示が変化する。携帯型端末装置の小さな表示画面においても、どのアイコンが選択されたのかが判別しやすい。また、これらの表示態様の変更はシナリオファイルに記述することで行うため容易である。
【００５３】
<<実施形態６>>
【００５４】
<実施形態６：概要>  実施形態６について説明する。本実施形態は、選択されたアイコンが選択後アイコンへ段階的に遷移する様子を見せるための複数の新アイコンを表示するための情報である遷移時表示情報に基づいて複数の新アイコンを表示することに特徴を有するシナリオ型アイコンシステムを有する携帯型端末装置である。
【００５５】
<実施形態６：構成>  本実施形態での機能ブロックの一例を図１４に示す。  図１４に示す本実施形態の「携帯型端末装置」（１４００）は、「アクティブシナリオファイル保持部」（１４０１）と、「シナリオファイル実行部」（１４０２）と、「シナリオファイル格納部」（１４０３）と、「シナリオファイル活性部」（１４０４）と、からなる。さらに、シナリオファイル実行部（１４０２）は、「遷移時表示手段」（１４０５）を有する。図１４は実施形態２を基本とした機能ブロックであり、上述の構成要件は他の実施形態を基本とした場合には必須構成要件ではないことがある。
【００５６】
「アクティブシナリオファイル保持部」（１４０１）は、アクティブシナリオファイルを保持する。「シナリオファイル格納部」（１４０３）は、シナリオファイルを格納する。ここで、これらのシナリオファイルに含まれるアクション規則情報には、選択されたアイコンが選択後アイコンへ段階的に遷移する様子を見せるための複数の新アイコンを表示するための情報である遷移時表示情報が含まれる。つまり、アイコンが選択されることによって、選択前のアイコンの画像が選択後のアイコン画像へ段階的に変化することになる。
【００５７】
「遷移時表示手段」（１４０５）は、前記遷移時表示情報に基づいて複数の新アイコンを表示するための処理を行う。例えば、音符のマークのアイコンに対応するアクティブシナリオファイルのアクション規則情報に、半時計回りに回転する様を表示するための遷移時表示情報が含まれている場合には、音符のマークのアイコンが反時計回りに回転することにより段階的に遷移する様子を見せるための複数の新アイコンを表示する。したがって、音符のマークのアイコンを選択した場合に、音符のマークのアイコンが反時計回りに回転する表示へと変化する。このようなアイコンの選択は、選択されているアイコンを目立たせるために行うことなどが想定される。また、選択後に表示すべきアイコンの表示規則については、アクティブシナリオファイルに含まれるアイコン表示規則情報に基づいて表示されるとしてもよい。
【００５８】
また、選択されたアイコンが選択後アイコンへ段階的に遷移する態様としては、ディゾルブ、フェード、スライド、スレッド、ターン、スピンなどがある。  「ディゾルブ」とは、選択前アイコン画像を、徐々に選択後アイコン画像へと切り替える画像の表示方法をいう。ディゾルブは、例えば、画像が粒状に拡散、集結する切り替え方法や、色や輝度の変換などによる表示が可能である。  「フェード」とは、選択前アイコン画像が消えていくにつれ、選択後アイコン画像が表示される画像の表示方法をいう。フェードは、画像をオーバーラップさせる方法などが該当する。  「スライド」とは、選択前アイコン画像に対して、同サイズの選択後アイコン画像がすべりこむように表示される画像の表示方法をいう。スライドは、選択後アイコン画像がスライドする際に、選択前アイコン画像が押し出されるのか、あるいは、選択前アイコン画像の上に重なるのかの別や、選択後アイコン画像がスライドしてくる方向、速度などにより様々な表示が可能である。  「スレッド」とは、選択前アイコン画像に対して、縮小されたサイズの選択後アイコン画像がすべりこむように表示され、しかる後にもとのサイズまで拡大する画像の表示方法をいう。スライドと同様スレッドも、選択後アイコン画像がスレッドする際に、選択前アイコン画像が押し出されるのか、あるいは、選択前アイコン画像の上に重なるのかの別や、選択後アイコン画像がスレッドしてくる方向、速度などにより様々な表示が可能である。  「ターン」とは、選択前アイコン画像に対して、軸を中心として回転し、選択後アイコン画像が表示される画像の表示方法をいう。ターンは、回転の方向、角度、速度、軸の違いにより様々な表示が可能である。  「スピン」とは、アイコンの選択の検知により、選択前アイコン画像の中心を画像が回転し、選択後アイコン画像が表示される画像の表示方法をいう。スピンは、回転の方向、角度、速度の違いにより様々な表示が可能である。  その他各部の処理は実施形態１から５と同様である。
【００５９】
<実施形態６：処理の流れ>  図１５は、実施形態６での処理の流れの一例を示したものである。前提として、アクティブシナリオファイルの実行に従ってアイコンが表示されている状態であるとする。まず、アイコンが選択されたかどうかを判断する（アイコン選択判断ステップ  Ｓ１５０１）。前記アイコン選択判断ステップ（Ｓ１５０１）にて、アイコンが選択されたとの判断結果の場合には、さらに、アクティブシナリオファイルのアクション規則情報に、アイコンの選択に応じて、選択されたアイコンが選択後アイコンへ段階的に遷移する様子を見せるための複数の新アイコンを表示するための情報である遷移時表示情報が含まれているか判断する（遷移時表示情報存在判断ステップ  Ｓ１５０２）。前記遷移時表示情報存在判断ステップ（Ｓ１５０２）にて、遷移時表示情報が含まれているとの判断結果の場合には、遷移時表示情報に基づいて選択されたアイコンが選択後アイコンへ段階的に遷移する様子を見せるための複数の新アイコンを生成し、表示する（遷移時表示ステップ  Ｓ１５０３）。このとき、遷移時表示ステップ（Ｓ１５０３）は、連続表示が終了するまで繰り返されるとしてもよい。遷移時表示情報が含まれていないとの判断結果の場合には、遷移時表示ステップ（Ｓ１５０３）を実行せず、次のステップを実行する。アクティブシナリオファイルに基づいて、アイコンの選択に対するアクションを定める情報であるアクション規則情報を特定し、アクションを実行する（アクション実行ステップ  Ｓ１５０４）。なお、アイコン選択判断ステップ（Ｓ１５０１）にて、アイコンが選択されていないとの判断結果の場合には、処理を終了する。
【００６０】
<実施形態６：効果>  本実施形態は、選択されたアイコンが選択後アイコンへ段階的に遷移する様子を見せるための複数の新アイコンを表示するための情報である遷移時表示情報に基づいて複数の新アイコンを表示することに特徴を有するシナリオ型アイコンシステムを有する携帯型端末装置である。アイコンの選択に応じて、アイコンの表示が段階的に変化する。携帯型端末装置の小さな表示画面においても、どのアイコンが選択されたのかが判別しやすい。また、これらの表示態様の変更はシナリオファイルに記述することで行うため容易である。
【００６１】
<<実施形態７>>
【００６２】
<実施形態７：概要>  実施形態７について説明する。本実施形態は、複数のシナリオファイルの中から一のシナリオファイルを特定するための情報であるシナリオファイル特定情報に基づいて特定されるシナリオファイルをアクティブシナリオファイルとしてシナリオファイル保持部に転送することに特徴を有するシナリオ型アイコンシステムを有する携帯型端末装置である。
【００６３】
<実施形態７：構成>  本実施形態での機能ブロックの一例を図１６に示す。  図１６に示す本実施形態の「携帯型端末装置」（１６００）は、「アクティブシナリオファイル保持部」（１６０１）と、「シナリオファイル実行部」（１６０２）と、「シナリオファイル格納部」（１６０３）と、「シナリオファイル活性部」（１６０４）と、さらに、「シナリオファイル特定情報取得部」（１６０５）と、からなる。図１６は実施形態２を基本とした機能ブロックであり、上述の構成要件は他の実施形態を基本とした場合には必須構成要件ではないことがある。
【００６４】
「シナリオファイル特定情報取得部」（１６０５）は、シナリオファイル特定情報を取得する。「シナリオファイル特定情報」は、前記シナリオファイル格納部に格納された複数のシナリオファイルの中から一のシナリオファイルを特定するための情報である。シナリオファイル特定情報は、利用者によるシナリオの識別情報の指定などが該当する。例えば、利用者がプライベート用のアイコン表示へ切り替えを行いたい場合に、シナリオの識別情報を指定して、シナリオの切り替え命令を出すことなどが想定される。また、シナリオファイル特定情報は、時間、場所、携帯型端末装置の動作履歴などに応じてシナリオの特定が行われるような情報の場合もある。これについては、実施形態１２から１５にて詳述する。なお、シナリオファイル特定情報は、利用者の携帯型端末装置のボタン操作などによって入力されることによって取得できる場合や、外部から送信されたものを受信することで取得する場合などがある。また、携帯型端末装置の内部においてシナリオファイル特定情報を生成することによって取得する場合もある。
【００６５】
「シナリオファイル活性部」（１６０４）は、前記シナリオファイル特定情報取得部（１６０５）で取得したシナリオファイル特定情報に基づいて特定されるシナリオファイルをアクティブシナリオファイルとしてアクティブシナリオファイル保持部（１６０１）に転送する。図で示した例では、シナリオファイル特定情報に基づいて特定されるシナリオファイル１がアクティブシナリオファイルとなり、アイコン表示が音符のマークのアイコンからト音記号のマークのアイコンへと変更される。また、アクティブシナリオファイルとして保持されていた元のシナリオファイルは、シナリオファイル特定情報に基づいて特定される新たなシナリオファイルがアクティブとなることで上書きされる場合や、シナリオファイル格納部へ転送される場合がある。その他、古いアクティブシナリオファイルと、新しいアクティブシナリオファイルとがマージされて一体のアクティブシナリオファイルとして携帯型端末装置に認識される場合や、古いアクティブシナリオファイルの一部が新しいアクティブシナリオファイルへと置き換えられる場合などが想定される。  その他各部の処理については、実施形態１から６と同様である。
【００６６】
<実施形態７：処理の流れ>  図１７は、実施形態７でのシナリオファイルの特定処理の流れの一例を示したものである。まず、前記シナリオファイル格納部に格納された複数のシナリオファイルの中から一のシナリオファイルを特定するための情報であるシナリオファイル特定情報を取得する（シナリオファイル特定情報取得ステップ  Ｓ１７０１）。次に、シナリオファイルをアクティブシナリオファイル保持部に転送するためのトリガが発生したか判断する（転送トリガ判断ステップ  Ｓ１７０２）。前記転送トリガ判断ステップ（Ｓ１７０２）にて、転送トリガが発生したとの判断結果の場合には、前記シナリオファイル特定情報取得ステップ（Ｓ１７０１）にて取得したシナリオファイル特定情報に基づいて特定されるシナリオファイルをアクティブシナリオファイルとしてアクティブシナリオファイル保持部に転送する（シナリオファイル活性ステップ  Ｓ１７０３）。他方、転送トリガ判断ステップ（Ｓ１７０２）にて、転送トリガが発生していないとの判断結果の場合には、処理を終了する。
【００６７】
<実施形態７：効果>  本実施形態は、複数のシナリオファイルの中から一のシナリオファイルを特定するための情報であるシナリオファイル特定情報に基づいて特定されるシナリオファイルをアクティブシナリオファイルとしてシナリオファイル保持部に転送することに特徴を有するシナリオ型アイコンシステムを有する携帯型端末装置である。シナリオファイル特定情報によって特定すべきシナリオを指定できるため、複数のシナリオの候補を準備しておいて、状況に応じて的確にアイコンの表示を切り替えて使用することが可能となる。したがって、携帯型端末装置の表示画面上に表示されるアイコンを例えば仕事用から、プライベート用への切り替えが容易に行えることになる。
【００６８】
<<実施形態８>>
【００６９】
<実施形態８：概要>  実施形態８について説明する。本実施形態は、選択時表示アイコン画像群生成手段は、前記新アイコン画像の一表示ごとに順次生成し、表示終了後消去することに特徴を有するシナリオ型アイコンシステムを有する携帯型端末装置である。
【００７０】
<実施形態８：構成>  本実施形態での機能ブロックの一例を図１８に示す。  図１８に示す本実施形態の「携帯型端末装置」（１８００）は、「アクティブシナリオファイル保持部」（１８０１）と、「シナリオファイル実行部」（１８０２）と、「シナリオファイル格納部」（１８０３）と、「シナリオファイル活性部」（１８０４）と、からなり、シナリオファイル実行部（１８０２）は、「選択時表示アイコン画像群生成手段」（１８０５）を有し、さらに、選択時表示アイコン画像群生成手段（１８０５）は、「選択時表示アイコン画像群生成・消去器」（１８０６）を有する。図１８は実施形態５を基本とした機能ブロックであり、上述の構成要件は他の実施形態を基本とした場合には必須構成要件ではないことがある。
【００７１】
「選択時表示アイコン画像群生成・消去器」（１８０６）は、前記新アイコン画像の一表示ごとに順次生成し、表示終了後消去する。アイコンの選択に応じて表示される複数の異なる新アイコンの画像群を生成する場合、一の画像の表示終了後その画像が消去される。また同様に、選択されたアイコンが選択後のアイコンへ段階的に遷移する様子を見せるための複数の異なる新アイコンの画像群を生成する場合にも、一の画像の表示終了後その画像が消去されるとしてもよい。  その他各部の処理については、実施形態１から７と同様である。
【００７２】
<実施形態８：処理の流れ>  図１９は、実施形態８での処理の流れの一例を示したものである。前提として、アクティブシナリオファイルの実行に従って表示されたアイコンの選択が検知され、アクティブシナリオファイルのアクション規則情報に、アイコンの選択に応じて選択されたアイコンの画像の全部又は一部を加工し、複数の異なる新アイコンを生成する処理をするための情報である選択時表示アイコン画像群生成情報が含まれている状態であるとする。まず、選択時表示アイコン画像群生成情報に基づいて、Ｎ番目の選択時表示アイコン画像を生成し、メモリに画像を蓄積する（選択時表示アイコン画像蓄積ステップ  Ｓ１９０１）。初期状態では、Ｎの値は１であるとする。前記選択時表示アイコン画像蓄積ステップ（Ｓ１９０１）にてメモリに蓄積したＮ番目の選択時表示アイコン画像を表示する（選択時表示アイコン画像表示ステップ  Ｓ１９０２）。次に、Ｎ＋１番目の選択時表示アイコン画像が存在するか判断し（次選択時表示アイコン画像存在判断ステップ  Ｓ１９０３）、存在するとの判断結果の場合には引き続き同様に、選択時表示アイコン画像群生成情報に基づいて、Ｎ＋１番目の選択時表示アイコン画像を生成し、メモリに画像を蓄積する（次選択時表示アイコン画像蓄積ステップ  Ｓ１９０４）。次に、メモリに蓄積したＮ番目の選択時表示アイコン画像を消去する（選択時表示アイコン画像消去ステップ  Ｓ１９０５）。Ｎの値をインクリメントし、選択時表示アイコン画像表示ステップ（Ｓ１９０２）へ戻る。なお、次選択時表示アイコン画像存在判断ステップ（Ｓ１９０３）にて、Ｎ＋１番目の選択時表示アイコン画像が存在しないとの判断結果の場合には、処理を終了する。このとき、Ｎ番目の選択時表示アイコン画像を消去するとしてもよい。
【００７３】
<実施形態８：効果>  本実施形態は、選択時表示アイコン画像群生成手段は、前記新アイコン画像の一表示ごとに順次生成し、表示終了後消去することに特徴を有するシナリオ型アイコンシステムを有する携帯型端末装置である。表示終了後に選択時表示アイコン画像群が消去され、携帯型端末装置に保持しないことから、携帯型端末装置の少ないメモリを消費することなく動画の表示を実現でき効率的である。
【００７４】
<<実施形態９>>
【００７５】
<実施形態９：概要>  実施形態９について説明する。本実施形態は、アイコンの選択に応じて選択されなかった非選択アイコンの画像の全部又は一部を加工し、複数の異なる新アイコンを生成する処理をするための情報である非選択時表示アイコン画像群生成情報に基づいて複数の異なる新アイコンである非選択時表示アイコン画像群を生成することに特徴を有するシナリオ型アイコンシステムを有する携帯型端末装置である。
【００７６】
<実施形態９：構成>  本実施形態での機能ブロックの一例を図２０に示す。  図２０に示す本実施形態の「携帯型端末装置」（２０００）は、「アクティブシナリオファイル保持部」（２００１）と、「シナリオファイル実行部」（２００２）と、「シナリオファイル格納部」（２００３）と、「シナリオファイル活性部」（２００４）と、からなり、さらに、シナリオファイル実行部（２００２）は、「非選択時表示アイコン画像群生成手段」（２００５）を有する。図２０は実施形態２を基本とした機能ブロックであり、上述の構成要件は他の実施形態を基本とした場合には必須構成要件ではないことがある。
【００７７】
「アクティブシナリオファイル保持部」（２００１）は、アクティブシナリオファイルを保持する。「シナリオファイル格納部」（２００３）は、シナリオファイルを格納する。ここで、これらのシナリオファイルに含まれるアクション規則情報には、アイコンの選択に応じて選択されなかった非選択アイコンの画像の全部又は一部を加工し、複数の異なる新アイコンを生成する処理をするための情報である非選択時表示アイコン画像群生成情報が含まれる。つまり、アイコンが選択されることによって、選択されていないアイコンの画像の全部又は一部を加工し、複数の異なる非選択時表示アイコン画像群が生成され、それらが連続表示されることで、選択されていないアイコンの表示も動的に変化することになる。
【００７８】
「非選択時表示アイコン画像群生成手段」（２００５）は、前記非選択時表示アイコン画像群生成情報に基づいて複数の異なる新アイコンである非選択時表示アイコン画像群を生成する。例えば、音符のマークのアイコンが選択された場合、このアイコンに対応するアクティブシナリオファイルのアクション規則情報に、その他のアイコンである例えば時計のマークの表示を変更するための非選択時表示アイコン画像群生成情報が含まれている場合には、非選択アイコンの画像の全部又は一部を加工し、複数の異なる新アイコンを生成する処理を行う。したがって、音符のマークのアイコンを選択した場合に、隣接する時計のマークのアイコンに音符のマークが煌いている光線を浴びる表示へと変化する。このようなアイコンの選択は、選択されているアイコンを目立たせるために行うことなどが想定される。また、選択後に表示すべきアイコンの表示規則については、アクティブシナリオファイルに含まれるアイコン表示規則情報に基づいて表示されるとしてもよい。
【００７９】
また、画像の加工は、アイコンの画像の全部を加工する場合だけでなく、一部のみを加工する場合もある。部分的に加工を行う場合とは、アイコンの一部に対する色や輝度の変更などをいう。アイコンが煌く表示や、波紋が広がる表示を実現することができる。  その他各部の処理については、実施形態１から８と同様である。
【００８０】
<実施形態９：処理の流れ>  本実施形態の処理の流れは、図１３に示す実施形態５での処理の流れにおいて、選択時表示アイコン画像群を非選択時表示アイコン画像群と置き換えたものと同様である。
【００８１】
<実施形態９：効果>  本実施形態は、アイコンの選択に応じて選択されなかった非選択アイコンの画像の全部又は一部を加工し、複数の異なる新アイコンを生成する処理をするための情報である非選択時表示アイコン画像群生成情報に基づいて複数の異なる新アイコンである非選択時表示アイコン画像群を生成することに特徴を有するシナリオ型アイコンシステムを有する携帯型端末装置である。選択されたアイコンだけでなく、選択されていないアイコンに対しても画像の加工が可能となることで、アイコン選択に伴う動画表示のバリエーションを高め、選択されたアイコンをより強調することができる。
【００８２】
<<実施形態１０>>
【００８３】
<実施形態１０：概要>  実施形態１０について説明する。本実施形態は、シナリオファイルの全部又は一部は、アイコンの選択に応じて画面上のアイコンを表示していない部分である背景を構成する画像である背景画像の表示を変更することに特徴を有するシナリオ型アイコンシステムを有する携帯型端末装置である。
【００８４】
<実施形態１０：構成>  本実施形態での機能ブロックの一例を図２１に示す。  図２１に示す本実施形態の「携帯型端末装置」（２１００）は、「アクティブシナリオファイル保持部」（２１０１）と、「シナリオファイル実行部」（２１０２）と、「シナリオファイル格納部」（２１０３）と、「シナリオファイル活性部」（２１０４）と、からなる。図２１は実施形態２を基本とした機能ブロックであり、上述の構成要件は他の実施形態を基本とした場合には必須構成要件ではないことがある。
【００８５】
「アクティブシナリオファイル保持部」（２１０１）は、アクティブシナリオファイルを保持する。「シナリオファイル格納部」（２１０３）は、シナリオファイルを格納する。ここで、これらのシナリオファイルに含まれるアクション規則情報には、シナリオファイルの全部又は一部は、アイコンの選択に応じて画面上のアイコンを表示していない部分である背景を構成する画像である背景画像の表示を変更する背景画像表示変更情報が含まれる。具体的には、音符のマークのアイコンが選択された場合、このアイコンに対応するアクティブシナリオファイルのアクション規則情報に、背景を格子柄の背景画像に変更するための背景画像表示変更情報が含まれている場合には、アイコンが選択されることによって、アイコンの背景画像の表示が格子柄の背景画像に変更される。アイコンの周辺領域部分の背景画像のみを変更させるようにしてもよいし、表示画面上の背景の全体を変更させることもできる。  その他各部の処理については、実施形態１から９と同様である。
【００８６】
<実施形態１０：効果>  本実施形態は、シナリオファイルの全部又は一部は、アイコンの選択に応じて画面上のアイコンを表示していない部分である背景を構成する画像である背景画像の表示を変更することに特徴を有するシナリオ型アイコンシステムを有する携帯型端末装置である。選択されたアイコンだけでなく、背景の画像に対しても加工が可能となることで、アイコン選択に伴う動画表示のバリエーションを高め、選択されたアイコンをより強調することができる。
【００８７】
<<実施形態１１>>
【００８８】
<実施形態１１：概要>  実施形態１１について説明する。本実施形態は、時間情報に基づいて特定されるシナリオファイルをアクティブシナリオファイルとしてシナリオファイル保持部に転送することに特徴を有するシナリオ型アイコンシステムを有する携帯型端末装置である。
【００８９】
<実施形態１１：構成>  本実施形態での機能ブロックの一例を図２２に示す。  図２２に示す本実施形態の「携帯型端末装置」（２２００）は、「アクティブシナリオファイル保持部」（２２０１）と、「シナリオファイル実行部」（２２０２）と、「シナリオファイル格納部」（２２０３）と、「シナリオファイル活性部」（２２０４）と、「シナリオファイル特定情報取得部」（２２０５）と、からなる。またさらに、シナリオファイル特定情報取得部（２２０５）は、「時間情報取得手段」（２２０６）を有し、シナリオファイル活性部（２２０４）は、「時間情報依存シナリオファイル活性手段」（２２０７）を有する。図２２は実施形態７を基本とした機能ブロックであり、上述の構成要件は他の実施形態を基本とした場合には必須構成要件ではないことがある。
【００９０】
「時間情報取得手段」（２２０６）は、シナリオファイル特定情報として、時間に関する情報である時間情報を取得する。「時間情報」は、アイコン候補情報を特定する処理を行う時間を示すための情報である。時間情報は、例えば、特定の時刻（９時など）や、シナリオファイルを特定するまでの残り時間（あと２時間など）等が該当する。時間情報は、携帯型端末装置の利用者がボタン操作などを行い、入力、設定する場合などが想定される。
【００９１】
「時間情報依存シナリオファイル活性手段」（２２０７）は、前記時間情報取得手段（２２０６）で取得した時間情報に基づいて特定されるシナリオファイルをアクティブシナリオファイルとしてアクティブシナリオファイル保持部（２２０１）に転送する。携帯型端末装置の時計機能を用いて、時間情報で示される特定の時刻にシナリオファイルが特定され、特定されたシナリオファイルの記述に基づいてアイコンが表示される。例えば、朝の９時に仕事用のアイコンを表示するためのシナリオファイルを、夕方５時にプライベート用のアイコンを表示するためのシナリオファイルを特定するように設定しておけば、利用者の生活習慣に合わせてアイコンが自動的に切り替わる。また、シナリオファイル特定情報に含まれる時間情報以外の情報にも基づいて、シナリオファイルが特定される場合もある。
【００９２】
また、別の例としては、時間情報取得手段（２２０６）にてタイマなどに基づいて現在時刻に関する時間情報を取得し、この時間情報に基づいて時間情報依存シナリオファイル活性手段（２２０７）にてシナリオファイルを特定する場合もある。このとき、時間情報依存シナリオファイル活性手段（２２０７）には、時間情報とこれに対応するシナリオファイルの関連付けについてのテーブルが保持されており、このテーブル（図２７（ａ）参照）に基づいてシナリオファイルが特定されることが想定される。  その他各部の処理については、実施形態１から１０と同様である。
【００９３】
<実施形態１１：効果>  本実施形態は、時間情報に基づいて特定されるシナリオファイルをアクティブシナリオファイルとしてシナリオファイル保持部に転送することに特徴を有するシナリオ型アイコンシステムを有する携帯型端末装置である。朝の９時に仕事用のアイコンを表示するためのシナリオファイルを、夕方５時にプライベート用のアイコンを表示するためのシナリオファイルを特定するように設定しておけば、利用者が特段の作業をすることなく、利用者の生活習慣に合わせてアイコンが自動的に切り替わり便利である。
【００９４】
<<実施形態１２>>
【００９５】
<実施形態１２：概要>  実施形態１２について説明する。本実施形態は、場所情報に基づいて特定されるシナリオファイルをアクティブシナリオファイルとしてシナリオファイル保持部に転送することに特徴を有するシナリオ型アイコンシステムを有する携帯型端末装置である。
【００９６】
<実施形態１２：構成>  本実施形態での機能ブロックの一例を図２３に示す。  図２３に示す本実施形態の「携帯型端末装置」（２３００）は、「アクティブシナリオファイル保持部」（２３０１）と、「シナリオファイル実行部」（２３０２）と、「シナリオファイル格納部」（２３０３）と、「シナリオファイル活性部」（２３０４）と、「シナリオファイル特定情報取得部」（２３０５）と、からなる。またさらに、シナリオファイル特定情報取得部（２３０５）は、「場所情報取得手段」（２３０６）を有し、シナリオファイル活性部（２３０４）は、「場所情報依存シナリオファイル活性手段」（２３０７）を有する。図２３は実施形態７を基本とした機能ブロックであり、上述の構成要件は他の実施形態を基本とした場合には必須構成要件ではないことがある。
【００９７】
「場所情報取得手段」（２３０６）は、シナリオファイル特定情報として、場所に関する情報である場所情報を取得する。「場所情報」は、シナリオファイルを特定する処理を実行すべき場合の携帯型端末装置の位置する場所を示す情報である。場所情報は、例えば、特定のエリア（東京駅周辺など）や、境界（県境など）等が該当し、携帯型端末装置の利用者がボタン操作などを行い、入力、設定する場合などが想定される。
【００９８】
「場所情報依存シナリオファイル活性手段」（２３０７）は、前記場所情報取得手段（２３０６）で取得した場所情報に基づいて特定されるシナリオファイルをアクティブシナリオファイルとしてアクティブシナリオファイル保持部（２３０１）に転送する。携帯型端末装置は、ＧＰＳの衛星や、携帯電話の基地局などから発せられる信号をもとに現在地の情報を生成等し、場所情報で示される特定のエリア内に携帯型端末装置が侵入した場合にはシナリオファイルが特定され、特定されたシナリオファイルの記述に基づいてアイコンが表示される。図２４には、電子機器を所持する利用者が通勤する途中、会社から所定の範囲内に近づいたときに表示アイコンが切り替わる態様を示した。図左上の会社から比較的離れた（ａ）の位置にいるときには、携帯型端末装置の画面にはプライベート用の表示アイコンである猫のアイコンが表示されたままである。一方、会社から破線で示す所定の範囲内に近づいた（ｂ）の位置まで到達した場合には、仕事用の表示アイコンであるカメラのアイコンへと切り替わる。このように、例えば、会社周辺に近づいたときに仕事用のアイコンを表示するためのシナリオファイルを、自宅周辺に近づいたときにプライベート用のアイコンを表示するためのシナリオファイルを特定するように設定しておけば、利用者の生活習慣に合わせてアイコンが自動的に切り替わる。また、シナリオファイル特定情報に含まれる場所情報以外の情報にも基づいて、シナリオファイルが特定される場合もある。
【００９９】
また、別の例としては、場所情報取得手段（２３０６）にてＧＰＳなどに基づいて現在地に関する場所情報を取得し、この場所情報に基づいて場所情報依存シナリオファイル活性手段（２３０７）にてシナリオファイルを特定する場合もある。このとき、場所情報依存シナリオファイル活性手段（２３０７）には、場所情報とこれに対応するシナリオファイルの関連付けについてのテーブルが保持されており、このテーブル（図２７（ｂ）参照）に基づいてシナリオファイルが特定されることが想定される。  その他各部の処理については、実施形態１から１１と同様である。
【０１００】
<実施形態１２：効果>  本実施形態は、場所情報に基づいて特定されるシナリオファイルをアクティブシナリオファイルとしてシナリオファイル保持部に転送することに特徴を有するシナリオ型アイコンシステムを有する携帯型端末装置である。会社周辺に近づいたときに仕事用のアイコンを表示するためのシナリオファイルを、自宅周辺に近づいたときにプライベート用のアイコンを表示するためのシナリオファイルを特定するように設定しておけば、利用者が特段の作業をすることなく、利用者の生活習慣に合わせてアイコンが自動的に切り替わり便利である。
【０１０１】
<<実施形態１３>>
【０１０２】
<実施形態１３：概要>  実施形態１３について説明する。本実施形態は、動作履歴情報に基づいて特定されるシナリオファイルをアクティブシナリオファイルとしてシナリオファイル保持部に転送することに特徴を有するシナリオ型アイコンシステムを有する携帯型端末装置である。
【０１０３】
<実施形態１３：構成>  本実施形態での機能ブロックの一例を図２５に示す。  図２５に示す本実施形態の「携帯型端末装置」（２５００）は、「アクティブシナリオファイル保持部」（２５０１）と、「シナリオファイル実行部」（２５０２）と、「シナリオファイル格納部」（２５０３）と、「シナリオファイル活性部」（２５０４）と、「シナリオファイル特定情報取得部」（２５０５）と、からなる。またさらに、シナリオファイル特定情報取得部（２５０５）は、「動作履歴情報取得手段」（２５０６）を有し、シナリオファイル活性部（２５０４）は、「動作履歴情報依存シナリオファイル活性手段」（２５０７）を有する。図２５は実施形態７を基本とした機能ブロックであり、上述の構成要件は他の実施形態を基本とした場合には必須構成要件ではないことがある。
【０１０４】
「動作履歴情報取得手段」（２５０６）は、シナリオファイル特定情報として、動作履歴に関する情報である動作履歴情報を取得する。「動作履歴情報」は、携帯型端末装置の動作履歴を表す情報である。動作履歴情報は、例えば、通話履歴（かける場合、受ける場合）や、メールの受信履歴等が該当し、通話相手などを特定してもよい。動作履歴情報は、携帯型端末装置の利用者がボタン操作などを行い、入力、設定する場合などが想定される。
【０１０５】
「動作履歴情報依存シナリオファイル活性手段」（２５０７）は、前記動作履歴情報取得手段（２５０６）で取得した動作履歴情報に基づいて特定されるシナリオファイルをアクティブシナリオファイルとしてアクティブシナリオファイル保持部（２５０１）に転送する。携帯型端末装置は、自身の動作履歴と、動作履歴情報取得手段（２５０６）にて取得された動作履歴情報とを対比し合致する場合には、シナリオファイル候補情報が特定され、特定されたシナリオファイルに基づいてアイコンが表示される。例えば、自宅へと電話をかけた後は、プライベート用の表示アイコンを表示するためのシナリオファイルが特定されるように設定しておけば、利用者の生活習慣に合わせてアイコンが自動的に切り替わる。また、シナリオファイル特定情報に含まれる動作履歴情報以外の情報にも基づいて、シナリオファイルが特定される場合もある。
【０１０６】
また、別の例としては、動作履歴情報取得手段（２５０６）にて携帯型端末装置の動作履歴に関する情報を取得し、この動作履歴情報に基づいて動作履歴情報依存シナリオファイル活性手段（２５０７）にてシナリオファイルを特定する場合もある。このとき、動作履歴情報依存シナリオファイル活性手段（２５０７）には、動作履歴情報とこれに対応するシナリオファイルの関連付けについてのテーブルが保持されており、このテーブル（図２７（ｃ）参照）に基づいてシナリオファイルが特定されることが想定される。  その他各部の処理については、実施形態１から１２と同様である。
【０１０７】
<実施形態１３：効果>  本実施形態は、動作履歴情報に基づいて特定されるシナリオファイルをアクティブシナリオファイルとしてシナリオファイル保持部に転送することに特徴を有するシナリオ型アイコンシステムを有する携帯型端末装置である。自宅へと電話をかけた後は、プライベート用のシナリオファイルが特定されるように設定しておけば、利用者が特段の作業をすることなく、利用者の生活習慣に合わせてアイコンが自動的に切り替わり便利である。
【０１０８】
<<実施形態１４>>
【０１０９】
<実施形態１４：概要>  実施形態１４について説明する。本実施形態は、選択動作履歴情報に基づいて特定されるシナリオファイルをアクティブシナリオファイルとしてシナリオファイル保持部に転送することに特徴を有するシナリオ型アイコンシステムを有する携帯型端末装置である。
【０１１０】
<実施形態１４：構成>  本実施形態での機能ブロックの一例を図２６に示す。  図２６に示す本実施形態の「携帯型端末装置」（２６００）は、「アクティブシナリオファイル保持部」（２６０１）と、「シナリオファイル実行部」（２６０２）と、「シナリオファイル格納部」（２６０３）と、「シナリオファイル活性部」（２６０４）と、「シナリオファイル特定情報取得部」（２６０５）と、からなる。またさらに、シナリオファイル特定情報取得部（２６０５）は、「選択動作履歴情報取得手段」（２６０６）を有し、シナリオファイル活性部（２６０４）は、「選択動作履歴情報依存シナリオファイル活性手段」（２６０７）を有する。図２６は実施形態７を基本とした機能ブロックであり、上述の構成要件は他の実施形態を基本とした場合には必須構成要件ではないことがある。
【０１１１】
「選択動作履歴情報取得手段」（２６０６）は、シナリオファイル特定情報として、選択動作履歴に関する情報である選択動作履歴情報を取得する。「選択動作履歴情報」は、携帯型端末装置の動作履歴を表す情報である。動作履歴情報は、例えば、どのアイコンを選択して、どのような処理を実行したかの履歴などが該当する。さらに、アイコンを選択し、各処理モードへ切り替わった後のボタン操作（例えば、時計のアイコンを選択してスケジュールモードへ切り替わった後、スケジュール項目を削除する操作等）などが含まれるとしてもよい。選択動作履歴情報は、携帯型端末装置の利用者がボタン操作などを行い、入力、設定する場合などが想定される。
【０１１２】
「選択動作履歴情報依存シナリオファイル活性手段」（２６０７）は、前記選択動作履歴情報取得手段（２６０６）で取得した選択動作履歴情報に基づいて特定されるシナリオファイルをアクティブシナリオファイルとしてアクティブシナリオファイル保持部（２６０１）に転送する。携帯型端末装置は、自身の画面上に表示される表示アイコンの選択動作履歴と、選択動作履歴情報取得手段（２６０６）にて取得された選択動作履歴情報とを対比し合致する場合には、シナリオファイル候補情報が特定され、特定されたシナリオファイルに基づいてアイコンが表示される。例えば、自宅へとメールを送信した後は、プライベート用の表示アイコンを表示するためのシナリオファイルを特定するように設定しておけば、利用者の生活習慣に合わせてアイコンが自動的に切り替わる。また、シナリオファイル特定情報に含まれる選択動作履歴情報以外の情報にも基づいて、シナリオファイルが特定される場合もある。
【０１１３】
また、別の例としては、選択動作履歴情報取得手段（２６０６）にて携帯型端末装置の選択動作履歴に関する情報を取得し、この選択動作履歴情報に基づいて選択動作履歴情報依存シナリオファイル活性手段（２６０７）にてシナリオファイルを特定する場合もある。このとき、選択動作履歴情報依存シナリオファイル活性手段（２６０７）には、選択動作履歴情報とこれに対応するシナリオファイルの関連付けについてのテーブルが保持されており、このテーブル（図２７（ｄ）参照）に基づいてシナリオファイルが特定されることが想定される。  その他各部の処理については、実施形態１から１３と同様である。
【０１１４】
<実施形態１４：効果>  本実施形態は、選択動作履歴情報に基づいて特定されるシナリオファイルをアクティブシナリオファイルとしてシナリオファイル保持部に転送することに特徴を有するシナリオ型アイコンシステムを有する携帯型端末装置である。自宅へとメールを送信した後は、プライベート用のシナリオファイルが特定されるように設定しておけば、利用者が特段の作業をすることなく、利用者の生活習慣に合わせてアイコンが自動的に切り替わり便利である。また、選択動作履歴情報を一のアイコンの選択動作のみとするのではなく、一連の選択動作を指定する（自宅へのメール送信、スケジュール項目の削除の処理の後、表示を切り替えるなど）ことで、利用者が表示アイコンの切り替えを望まない場合にまで表示が切り替わることを防ぐこともできる。
【０１１５】
<<実施形態１５>>
【０１１６】
<実施形態１５：概要>  実施形態１５について説明する。本実施形態は、アプリケーションの実行によってシナリオファイルの一部分を作成することに特徴を有するシナリオ型アイコンシステムを有する携帯型端末装置である。
【０１１７】
<実施形態１５：構成>  本実施形態での機能ブロックの一例を図２８に示す。  図２８に示す本実施形態の「携帯型端末装置」（２８００）は、「アクティブシナリオファイル保持部」（２８０１）と、「シナリオファイル実行部」（２８０２）と、「シナリオファイル格納部」（２８０３）と、「シナリオファイル活性部」（２８０４）と、さらに、「部分シナリオファイル作成アプリケーション実行部」（２８０５）と、からなる。また、シナリオファイル作成アプリケーション実行部（２８０５）は、「アイコン表示規則情報選択手段」（２８０６）と、「アクション規則情報選択手段」（２８０７）と、を有する場合がある。
【０１１８】
「部分シナリオファイル作成アプリケーション実行部」（２８０５）は、部分シナリオファイルアプリケーションの実行を行う。「部分シナリオファイルアプリケーション」は、シナリオファイルの一部を作成するためのアプリケーションである。表示画面に表示された全てのアイコンではなく、一部のアイコンと、そのアイコンの選択に対応する処理をシナリオファイルの一部として作成する。また、例えば、利用者が携帯型端末装置の撮影機能を用いて被写体を撮影し、これをメールの送受信処理のためのアイコンの画像として用いる場合、部分シナリオファイルアプリケーションによって、撮影した画像を表示するためのアイコン表示規則情報と、対応する処理を定めるアクション規則情報からなるシナリオファイルの一部を作成することができる。作成したシナリオファイルの一部は、複数組み合わせて用いるとしてもよい。
【０１１９】
また、「アイコン表示規則情報選択手段」（２８０６）は、前記部分シナリオファイル作成アプリケーションの実行により表示されるプルダウンメニューにより前記アイコン表示規則情報を選択する。プルダウンメニューに示された複数の選択肢の中から、利用者がアイコン表示規則情報を自由に選択することができる。  「アクション規則情報選択手段」（２８０７）は、前記部分シナリオファイル作成アプリケーションの実行により表示されるプルダウンメニューにより前記アクション規則情報を選択する。プルダウンメニューに示された複数の選択肢の中から、利用者がアクション規則情報を自由に選択することができる。順次選択を行うことで、シナリオファイルが作成できる。
【０１２０】
「シナリオファイル格納部」（２８０３）は、前記部分シナリオアプリケーション実行部（２６０５）にて作成されたシナリオファイルの一部を含むシナリオファイルを格納する。作成したシナリオファイルの一部を含むシナリオファイルは、一旦シナリオファイル格納部に格納され、必要な場合にはシナリオファイル活性部にてアクティブシナリオファイル保持部へ転送され、アクティブシナリオファイルとなる。  その他各部の処理については実施形態３と同様である。
【０１２１】
<実施形態１５：効果>  本実施形態は、アプリケーションの実行によってシナリオファイルの一部分を作成することに特徴を有するシナリオ型アイコンシステムを有する携帯型端末装置である。利用者がシナリオファイルを作成することができることで、アイコンの変更などが容易に行える。また、シナリオファイルの一部分の作成が可能なことから、使用頻度の高い一部のアイコンについてのシナリオファイルを作成することにより、最小限のシナリオファイルのみを格納すればよいため、携帯型端末装置の記憶容量を有効に活用することができる。
【０１２２】
<<実施形態１６>>
【０１２３】
<実施形態１６：概要>  実施形態１６について説明する。本実施形態は、携帯型端末装置は、電話機能を有することに特徴を有するシナリオ型アイコンシステムを有する携帯型端末装置である。
【０１２４】
<実施形態１６：構成>  本実施形態での機能ブロックの一例はすでに図５に示したものと同様である。  図５に示す「携帯型端末装置」（０５００）は、「アクティブシナリオファイル保持部」（０５０１）と、「シナリオファイル実行部」（０５０２）と、「シナリオファイル格納部」（０５０３）と、「シナリオファイル活性部」（０５０４）と、からなる。図５は実施形態２を基本とした機能ブロックであり、上述の構成要件は他の実施形態を基本とした場合には必須構成要件ではないことがある。
【０１２５】
「携帯型端末装置」（０５００）は、電話機能を有する。携帯型端末装置が電話機能を有することで、電話機能に由来するメール、ＷＥＢ、赤外線、ブルートゥースや、ＵＳＢなどの有線通信などの通信手段を用いてシナリオファイルのやり取りを行うことができる。  その他各部の処理については実施形態１から１５と同様である。
【０１２６】
<実施形態１６：効果>  本実施形態は、携帯型端末装置は、電話機能を有することに特徴を有するシナリオ型アイコンシステムを有する携帯型端末装置である。電話機能に由来するメールなどの通信手段を用いて、他者とシナリオファイルのやり取りができれば、シナリオファイルや、アイコンのバリエーションが広がり、携帯型端末装置自体の利用度も高まることが期待できる。
【図面の簡単な説明】
【０１２７】
【図１】実施形態１を説明するための概念図
【図２】実施形態１を説明するための機能ブロック図
【図３】実施形態１の処理の流れを説明する図
【図４】実施形態２を説明するための概念図
【図５】実施形態２を説明するための機能ブロック図
【図６】実施形態２の処理の流れを説明する図
【図７】実施形態３を説明するための機能ブロック図
【図８】実施形態３におけるシナリオファイルを説明するための図
【図９】実施形態３の処理の流れを説明する図
【図１０】実施形態４を説明するための機能ブロック図
【図１１】実施形態４の処理の流れを説明する図
【図１２】実施形態５を説明するための機能ブロック図
【図１３】実施形態５の処理の流れを説明する図
【図１４】実施形態６を説明するための機能ブロック図
【図１５】実施形態６の処理の流れを説明する図
【図１６】実施形態７を説明するための機能ブロック図
【図１７】実施形態７の処理の流れを説明する図
【図１８】実施形態８を説明するための機能ブロック図
【図１９】実施形態８の処理の流れを説明する図
【図２０】実施形態９を説明するための機能ブロック図
【図２１】実施形態１０を説明するための機能ブロック図
【図２２】実施形態１１を説明するための機能ブロック図
【図２３】実施形態１２を説明するための機能ブロック図
【図２４】実施形態１２における表示切替タイミングを説明するための図
【図２５】実施形態１３を説明するための機能ブロック図
【図２６】実施形態１４を説明するための機能ブロック図
【図２７】実施形態１１から１４の別の例を説明する図
【図２８】実施形態１５を説明するための機能ブロック図
【符号の説明】
【０１２８】
０５００    携帯型端末装置
０５０１    アクティブシナリオファイル保持部
０５０２    シナリオファイル実行部
０５０３    シナリオファイル格納部
０５０４    シナリオファイル活性部
【図１】
2006139443.tif 000003
【図２】
2006139443.tif 000004
【図３】
2006139443.tif 000005
【図４】
2006139443.tif 000006
【図５】
2006139443.tif 000007
【図６】
2006139443.tif 000008
【図７】
2006139443.tif 000009
【図８】
2006139443.tif 000010
【図９】
2006139443.tif 000011
【図１０】
2006139443.tif 000012
【図１１】
2006139443.tif 000013
【図１２】
2006139443.tif 000014
【図１３】
2006139443.tif 000015
【図１４】
2006139443.tif 000016
【図１５】
2006139443.tif 000017
【図１６】
2006139443.tif 000018
【図１７】
2006139443.tif 000019
【図１８】
2006139443.tif 000020
【図１９】
2006139443.tif 000021
【図２０】
2006139443.tif 000022
【図２１】
2006139443.tif 000023
【図２２】
2006139443.tif 000024
【図２３】
2006139443.tif 000025
【図２４】
2006139443.tif 000026
【図２５】
2006139443.tif 000027
【図２６】
2006139443.tif 000028
【図２７】
2006139443.tif 000029
【図２８】
2006139443.tif 000030